(57)【要約】【目的】テレビ画像をメモ録画して表示する機能をテレビに付加する。【構成】メモ録画キーの操作でメモ録画が指示されたとき、テレビ画面に表示されている受信中テレビ映像をビデオメモリに保存し、メモ再生キーの操作でメモ再生が指示されたとき、メモリに保存した画像を繰り返し読み出して静止画表示する。【選択図】図１
2008109539.tif 000002
【特許請求の範囲】
【請求項１】
メモ録画機能を備えたテレビ受信機において、
テレビ放送電波を受信する受信機、
受信信号よりディジタルの映像信号を分離して出力する映像信号分離部、
前記ディジタル映像信号を録画するメモリ、
該ディジタルの映像信号を用いて映像を表示する処理を行なう映像処理部、
前記映像信号分離部から出力される映像信号と前記メモリに録画されている映像信号を選択的に前記表示部に入力する選択部、
メモ録画を指示する指示部、
メモ録画が指示されたとき、少なくとも１画面分のテレビ映像信号を前記メモリに保存して表示する制御部、
を備えたことを特徴とするテレビ受信機。
【請求項２】
前記制御部は、前記メモ録画が指示されたときの１画面分のテレビ映像信号を前記メモリに保存し、該メモリに保存した映像信号を繰り返し読み出して静止画表示する、
ことを特徴とする請求項１記載のテレビ受信機。
【請求項３】
メモ再生を指示する指示部を備え、
前記制御部は、前記メモ録画が指示されたときの１画面分のテレビ映像信号を前記メモリに保存し、該指示部よりメモ再生が指示されたとき、前記メモリに保存した映像信号を繰り返し読み出して静止画表示する、
ことを特徴とする請求項１記載のテレビ受信機。
【発明の詳細な説明】
【技術分野】
【０００１】
本発明はメモ録画機能を備えたテレビ受信機に係わり、特に、ワンタッチで現在表示しているテレビ画像をテレビ内蔵のメモリに記録して表示するテレビ受信機に関する。
【背景技術】
【０００２】
テレビ放送番組よっては、番組の最後で、「申し込み者の中から抽選により１名あるいは何名かに該当の商品を差し上げます」、あるいは「申し込み者の中から抽選により１名あるいは何名かを映画、コンサートに招待します」、といったサービスが行なわれている。かかるサービスにおいて、申し込み先の住所/宛先、あるいはFAX番号などは画面に表示される。また、テレビショッピング等でも申し込み先のFAX番号や電話番号あるいはE−メール番号が画面に表示される。更に、視聴者参加のリアルタイム番組でも、応募、投稿などの宛先のFAX番号、電話番号、E−メール番号が画面に表示される。
申し込みたい視聴者、あるいは応募したい視聴者は、画面に表示された申し込み先、応募先を暗記し、あるいはメモ用紙に記録して、後日、葉書を出したり、FAXしたり、電話したりして、応募、申し込み、買い物をする。
しかし、画面表示時間は短く記憶するといっても正確に記憶できない場合が多く、また、メモ用紙に記録するといっても筆記用具、メモ用紙を準備してなければ間に合わない場合が多い問題がある。
ディジタルテレビ受信機はメモリを内蔵し、このメモリにテレビ画像を録画して編集する機能がある。例えば、衛星テレビ放送受信機において、受信状態が良好の映像を録画しておき、受信状態が悪化したとき、該録画してある映像を静止画表示する。しかし、従来技術は視聴者が欲する１画面の映像を録画して表示するものではない。
【発明の開示】
【発明が解決しようとする課題】
【０００３】
以上からは、本発明の目的は、テレビ映像をメモ録画して表示する機能をテレビ受信機に付加することである。
【課題を解決するための手段】
【０００４】
本発明は、メモ録画機能を備えたテレビ受信機であり、テレビ放送電波を受信する受信機、受信信号よりディジタルの映像信号を分離して出力する映像信号分離部、前記ディジタル映像信号を録画するメモリ、該ディジタルの映像信号を用いて映像を表示する処理を行なう映像処理部、前記映像信号分離部から出力される映像信号と前記メモリに録画されている映像信号を選択的に前記表示部に入力する選択部、メモ録画を指示する指示部、メモ録画が指示されたとき、少なくとも１画面分のテレビ映像信号を前記メモリに保存して表示する制御部を備えている。
上記テレビ受信機において、前記制御部は、前記メモ録画が指示されたときの１画面分のテレビ映像信号を前記メモリに保存し、該メモリに保存した映像信号を繰り返し読み出して静止画表示する。
上記テレビ受信機において、メモ再生を指示する指示部を備え、前記制御部は、前記メモ録画が指示されたときの１画面分のテレビ映像信号を前記メモリに保存し、該指示部よりメモ再生が指示されたとき、前記メモリに保存した映像信号を繰り返し読み出して静止画表示する。
【発明の効果】
【０００５】
本発明によれば、メモ録画が指示されたときのテレビ画面に表示されている映像をメモリに保存して再生表示するようにしたから、テレビ視聴者は画面に表示された申し込み先、応募先に住所/宛先、FAX番号、電話番号などを確実に把握することができる。
【発明を実施するための最良の形態】
【０００６】
図1は本発明のディジタルテレビ受信機の構成図であり、アンテナ1はディジタル放送電波を捕捉し、テレビチューナ2は映像・音声データを含む高周波ディジタル信号より制御部３が選局指示した周波数信号を取り出し、復調、逆インタリーブ、誤り訂正処理を施し、所定番組のトランスポート・ストリームをデマルチプレクサ4に入力する。デマルチプレクサ4は、入力されたトランスポート・ストリームからMPEG2のビデオストリームとオーディオストリームを分離し、それぞれビデオデコーダ５、オーディオデコーダ６に入力する。
ビデオデコーダ５はMPEGビデオストリームに復号処理を施してディジタルのビデオデータ(映像信号)を出力する。ビデオメモリ７は半導体メモリであり、必要に応じて少なくとも１画面分のビデオデータを記憶し、セレクタ８は通常はビデオデコーダ５から出力するビデオデータを選択して後段の映像処理回路9に入力するが、要求によりビデオメモリ７に記憶されているビデオデータを繰り返し選択して映像処理回路9に入力する。映像処理回路は入力されたディジタルのビデオデータをNTSCフォーマットのコンポジット映像信号に変換してモニター１０に入力して表示する。
オーディオデコーダ６はMPEGオーディオストリームに復号処理を施してPCMオーディオデータを出力し、オーディオ回路１１はPCMオーディオデータをアナログに変換してスピーカ１２より出力する。
操作部１３はパワーオン/オフキー１３a、選局/番組選択キー１３b、メモ録画キー１３c、メモ再生キー１３dなどの各種キー、ボタン類を備えている。メモ録画キー１３cはモニター１０に表示されている少なくとも１画面のビデオデータをビデオメモリ７に保存させるもの、メモ再生キー１３dはビデオメモリ７に保存されているビデオデータによる静止画像の再生を指示するものである。
制御部３はユーザーが選択した放送局の選局信号をテレビチューナ2に入力して該放送局からの放送信号を選択させると共に、ユーザーが選択した番組のトランスポート・ストリームをデマルチプレクサ4に入力する。また、制御部３は、テレビ受信中に操作部１３のメモ録画キー１３cが操作されたとき、少なくとも１画面分のビデオデータをビデオメモリ７に保存させる。また、制御部３はメモ再生キー１３dが操作されたときセレクタ８を制御してビデオメモリ７に保存されている1画面分のビデオデータを繰り返し読み出して映像処理回路９に入力してモニター１０に静止画表示する。
【０００７】
・第1のメモ録画再生制御
テレビ受信中に、視聴者がある1画面の映像をメモしたい場面になったとき、視聴者は操作部１３のメモ録画キー１３cをオンする。これにより、制御部3はそのとき表示されている1画面分のビデオデータをビデオメモリ７に保存するよう制御する。ビデオメモリにビデオデータを記憶した状態においてメモ再生キー１３dをオンすれば、制御部3はセレクタ8を制御して該ビデオメモリ7に保存されているビデオデータを繰り返し読み出させる。これにより、モニター１０にビデオメモリ７に保存されている1画面分のビデオデータによる静止画像表示がなされる。以後、再生停止が指示されるまで静止画像が表示される。したがって、テレビ視聴者は画面に表示された申し込み先、応募先の住所/宛先、FAX番号、電話番号などを確実に把握することができる。
【０００８】
・第２のメモ録画再生制御
第1のメモ録画再生制御は、再生キーを設けて再生する場合であるが、次のように再生制御することもできる。すなわち、メモ録画キー１３aが操作されたとき、制御部３は1画面分の映像信号をビデオメモリ７に保存させる。そして、保存完了後、制御部３はセレクタ８を制御して静止画像表示に切り替える。すなわち、セレクタ８に該ビデオメモリに記憶したビデオデータを繰り返し読み出させて映像処理回路９に入力させて静止画像表示を行なわせる。以後、静止画表示の停止が指示されるまで(例えば、再度メモ録画キー１３aが操作されるまで)、あるいは所定時間経過するまで静止画像の表示を行う。そして、静止画表示の停止が指示されたとき、あるいは所定時間が経過したとき、制御部３はセレクタ８を制御してビデオデコーダ５から現在受信中のビデオデータを選択させて表示するように制御する。
以上の説明では、ビデオメモリ７を半導体メモリとしたがハードディスクを備えたテレビ受信機であればその一部記憶領域を用いることができる。
以上本発明によれば、メモ録画により、テレビ視聴者は画面に表示された申し込み先、応募先の住所/宛先、FAX番号、電話番号などを確実に把握することができる。なお、本発明は申し込み先、応募先の住所/宛先、FAX番号、電話番号などを録画するだけでなく、興味のある画面をメモ録画するなどの場合にも有効である。
【図面の簡単な説明】
【０００９】
【図１】本発明のディジタルテレビ受信機の構成図である。
【符号の説明】
【００１０】
１  アンテナ
２  テレビチューナ
３  制御部
４  デマルチプレクサ
５  ビデオデコーダ
６  オーディオデコーダ
７  ビデオメモリ
８  セレクタ
９  映像処理回路
１０  モニター
１１  オーディオ回路
１２  スピーカ
１３  操作部
１３ｃ  メモ録画キー
１３ｄ  メモ再生キー
【図１】
2008109539.tif 000003